(57)【特許請求の範囲】
【請求項１】
ＩＣカードを搬送する搬送手段を有し、前記ＩＣカードが搬送路内を前記搬送手段によって搬送されるよう構成されてなるＩＣカードリーダライタであって、
前記搬送路の一方の面に臨むようにして前記ＩＣカードとの信号の授受のための接点が設けられると共に、
ＩＣカードが載置されて当該ＩＣカードと移動する移動部と、前記移動部を案内する案内部とを有してなり、前記移動部は、前記案内部により、前記ＩＣカードの搬送に伴い当該ＩＣカードを前記接点へ案内可能とされると共に、前記ＩＣカードに形成された接点接触部を前記接点へ当接せしめ、前記接点と前記接点接触部の当接後、前記搬送手段により前記ＩＣカードが挿入された方向へさらに搬送される場合には、前記ＩＣカードの移動に伴いＩＣカードから徐々に離間し、前記搬送路の前記接点が位置する側の面と反対側の面の下側へ位置して、前記ＩＣカードのみのさらなる搬送を可能とするよう案内されてなる案内手段が設けられている
ことを特徴とするＩＣカードリーダライタ。
【請求項２】
ＩＣカードの挿入前の初期状態においては、移動部を初期位置に維持せしめる一方、
前記移動部が前記搬送路の前記接点が位置する側の面と反対側の面の下側へ位置して、前記ＩＣカードがさらに搬送されて移動部から離間した後に、当該移動部を前記初期位置へ戻すよう構成されてなる初期位置戻し手段が設けられてなることを特徴とする請求項１記載のＩＣカードリーダライタ。
【請求項３】
ＩＣカードを搬送する搬送手段を有し、前記ＩＣカードが搬送路内を前記搬送手段によって搬送されるよう構成されてなるＩＣカードリーダライタであって、
前記ＩＣカードが載置され、当該ＩＣカードと共に移動するよう構成されてなるスライドプレートと、
前記ＩＣカードとの信号の授受のための接点とが、前記搬送路を挟んで相対するように設けられ、
前記スライドプレートの近傍には、前記スライドプレートの移動を案内するスライドプレートガイド手段が設けられ、前記スライドプレートは、前記ＩＣカードの挿入口方向に、初期位置戻し手段により常時戻し力を受け、前記ＩＣカードの挿入前の初期状態においては、初期位置に引き戻される一方、前記ＩＣカードの先頭部分が当接されるカード当接部が設けられ、
前記スライドプレートガイド手段は、前記スライドプレートを、その初期位置から前記ＩＣカードの挿入方向に向かって第１の所定区間の間、所定の傾きで徐々に上昇せしめ、前記第１の所定区間以降は、前記ＩＣカードの挿入方向に向かうに従い徐々に下降せしめ、
前記接点は、前記スライドプレート手段の第１の所定区間における前記スライドプレートの傾きと同一の傾きで固設され、
前記スライドプレートが前記ＩＣカードの搬送に伴い前記ＩＣカードの挿入方向へ進み、前記第１の所定区間において所定位置に到達すると、前記接点が前記ＩＣカードに形成された接点接触部に当接してＩＣカードとの情報の授受が可能な状態となり、
ＩＣカードが前記ＩＣカードの挿入方向へさらに搬送されると、前記ＩＣカードの搬送と共に前記スライドプレートは、除々に下降しつつ前記接点から除々に離間してゆき、前記カード当接部が前記搬送路の下側に位置し、前記ＩＣカードが所定の位置から排出された後に、前記スライドプレートは、前記初期位置へ引き戻されるよう構成されてなることを特徴とするＩＣカードリーダライタ。
【請求項４】
ＩＣカードを搬送する搬送手段を有し、前記ＩＣカードが搬送路内を前記搬送手段によって搬送されるよう構成されてなるＩＣカードリーダライタであって、
前記ＩＣカードが載置され、当該ＩＣカードと共に移動するよう構成されてなるスライドプレートと、
前記ＩＣカードとの信号の授受のための接点とが、前記搬送路を挟んで相対するように設けられ、
前記スライドプレートの側部近傍には、前記搬送路の長手軸方向に沿って、当該スライドプレートの移動を案内するスライドプレートガイドが設けられ、
前記スライドプレートは、前記ＩＣカードの挿入口方向に、初期位置戻し手段により常時戻し力を受け、前記ＩＣカードの挿入前の初期状態においては、初期位置に引き戻される一方、前記ＩＣカードの先頭部分が当接されるカード当接部が設けられると共に、当該スライドプレートの前記カード当接部が設けられた側の端部近傍の側縁部分と、前記スライドプレートの前記カード当接部が設けられた側と反対側の端部近傍の側縁部分とには、それぞれ前記スライドプレートガイドの方向へ突出形成されたスライドプレート突起が設けられ、
前記スライドプレートガイドには、前記スライドプレートの前記カード当接部が設けられた側の側縁部分に設けられたスライドプレート突起が係合される第１のプレートガイド係合部と、前記スライドプレートの前記カード当接部が設けられた側と反対側の側縁部分に設けられたスライドプレート突起が係合される第２のプレートガイド係合部とがそれぞれ設けられ、
前記第１のプレートガイド係合部は、前記スライドプレートの前記カード当接部が設けられた側の部位を、その初期位置からＩＣカードの挿入方向に向かって第１の所定区間の間、所定の傾きで徐々に上昇せしめ、前記第１の所定区間以降は、前記ＩＣカードの挿入方向に向かうに従い徐々に下降せしめるように形成されてなり、
前記第２のプレートガイド係合部は、前記スライドプレートの前記カード当接部が設けられた側と反対側の部位を、その初期位置からＩＣカードの挿入方向に向かって第１の所定区間の間、所定の傾きで徐々に上昇せしめ、前記第１の所定区間以降は、前記ＩＣカードをほぼ水平状態に維持せしめるように形成されてなり、
前記接点は、前記第１のプレートガイド係合部の第１の所定区間における前記スライドプレートの傾きと同一の傾きで固設され、
前記スライドプレートが前記ＩＣカードの搬送に伴い前記ＩＣカードの挿入方向へ進み、前記第１の所定区間において所定位置に到達すると、前記接点が前記ＩＣカードに形成された接点接触部に当接してＩＣカードとの情報の授受が可能な状態となり、
ＩＣカードが前記ＩＣカードの挿入方向へさらに搬送されると、前記ＩＣカードの搬送と共に前記スライドプレートの前記カード当接部が設けられた側の部位は、除々に下降しつつ前記接点と離間し、前記カード当接部が前記搬送路の下側に位置し、前記ＩＣカードが所定の位置から排出された後に、前記スライドプレートは、前記初期位置へ引き戻されるよう構成されてなることを特徴とするＩＣカードリーダライタ。
【請求項５】
搬送手段は、ＩＣカードの挿入位置近傍において、搬送路を挟んで第１の駆動プーリと第１の従動ローラとがそれぞれ軸支されて設けられ、
前記ＩＣカードの排出位置近傍において、前記搬送路を挟んで第２の駆動プーリと第２の従動ローラとがそれぞれ軸支されて設けられ、
前記第１の駆動プーリと第２の駆動プーリには、カード搬送用ベルトが掛け渡され、
前記第１の駆動プーリがモータにより回動可能に設けられてなることを特徴とする請求項２、請求項３又は請求項４記載のＩＣカードリーダライタ。
【請求項６】
第１の駆動プーリの中心には駆動軸が取着され、当該第１の駆動プーリと反対側の前記駆動軸の端部において、ウォームギアを介してモータの回動が伝達されるよう構成されてなることを特徴とする請求項５記載のＩＣカードリーダライタ。
【請求項７】
ウォームギアを構成するウォームは、駆動軸より大径のウォーム形成用円柱部材の外周面に形成されてなり、当該ウォーム形成用円柱部材の軸方向の中心には前記駆動軸が遊嵌される遊嵌穴が形成されて、前記駆動軸が遊嵌され、
前記ウォーム形成用円柱部材には、その周方向で所定の間隔を隔てて少なくとも１つのウォーム側係止突起が前記駆動軸の軸方向に突設され、
前記駆動軸の外周面には、その周方向で所定の間隔を隔てて少なくとも１つの駆動軸側係止突起が、前記駆動軸の端部が前記遊嵌穴に遊嵌せしめられた状態において、前記ウォーム側係止突起が突設された前記ウォーム形成用円柱部材の端面の近傍に位置するように前記駆動軸の軸方向の適宜な位置に突設されてなり、
前記駆動軸が所定角度の範囲で回動自在に構成されてなることを特徴とする請求項６記載のＩＣカードリーダライタ。
【発明の詳細な説明】
【０００１】
【発明の属する技術分野】
本発明は、いわゆるＩＣカードのリーダライタに係り、特に、挿入されたＩＣカードを必要に応じて装置内へ取り込む機能を有するものに関する。
【０００２】
【従来の技術】
いわゆるＩＣカードは、種々の情報の読み書きが電気的に可能なカードとして、近年様々な場面で利用されている。そして、かかるＩＣカードからの情報の読み取りや情報の書き込みを行うためのものとしてＩＣカードリーダライタがあり、様々な形態のものが提案されている（特公平４−３８０３１号公報等参照）。
【０００３】
【発明が解決しようとする課題】
ところで、近年ＩＣカードの利用の普及と共に、ＩＣカードリーダライタにおいて、いわゆる不正使用に対する方策を講ずることが必要とされてきている。
【０００４】
すなわち、その最も確実な方策としては、従来のＩＣカードリーダライタが、ＩＣカードを取り込んでＩＣカードとの信号の授受を終えた後は、挿入口へＩＣカードが戻されるよう構成されたものであるのに対して、ＩＣカードとの信号の授受によって、ＩＣカードが不正使用されているものであると判断された場合には、ＩＣカードリーダライタが設けられた装置内へ、そのＩＣカードを回収するような機能が確実であり、昨今のＩＣカードリーダライタには、そのような機能が求められている。
【０００５】
また、例えば、特公平４−３８０３１等に示されたような従来のＩＣカードリーダライタにおいては、ＩＣカードが、ＩＣカードリーダライタの筐体内の固定された平面状の部位を移動するために、ＩＣカードに摺動による傷が付きやすく、特に、近年、ＩＣカードの利用者によるＩＣカードの美観に対する意識の変化等により、極力傷がなく見た目の良いものが求められており、ＩＣカードリーダライタによりＩＣカードへ傷を付けるようなことがないような工夫が必要とされつつある。
【０００６】
本発明は、上記実情に鑑みてなされたもので、ＩＣカードを挿入側へ返却することなく装置内へ回収することのできるＩＣカードリーダライタを提供するものである。本発明の他の目的は、ＩＣカードを極力傷つけることなく処理することができるＩＣカードリーダライタを提供することにある。
【０００７】
【課題を解決するための手段】
上記発明の目的を達成するため、本発明に係るＩＣカードリーダライタは、ＩＣカードを搬送する搬送手段を有し、前記ＩＣカードが搬送路内を前記搬送手段によって搬送されるよう構成されてなるＩＣカードリーダライタであって、前記搬送路の一方の面に臨むようにして前記ＩＣカードとの信号の授受のための接点が設けられると共に、ＩＣカードが載置されて当該ＩＣカードと移動する移動部と、前記移動部を案内する案内部とを有してなり、前記移動部は、前記案内部により、前記ＩＣカードの搬送に伴い当該ＩＣカードを前記接点へ案内可能とされると共に、前記ＩＣカードに形成された接点接触部を前記接点へ当接せしめ、前記接点と前記接点接触部の当接後、前記搬送手段により前記ＩＣカードが挿入された方向へさらに搬送される場合には、前記ＩＣカードの移動に伴いＩＣカードから徐々に離間し、前記搬送路の前記接点が位置する側の面と反対側の面の下側へ位置して、前記ＩＣカードのみのさらなる搬送を可能とするよう案内されてなる案内手段が設けられているものである。
【０００８】
かかる構成においては、案内手段により、ＩＣカードは、接点に当接されて、所定の信号の授受が可能とされ、その後、ＩＣカードをＩＣカードリーダライタのカード排出口から排出する場合には、案内手段は、ＩＣカードと共に接点から離間して、その後は、案内手段のみが搬送路の下面側に下降するように構成されているので、ＩＣカードをカード排出口へ搬送することができ、従来と異なり、ＩＣカードの移動によりＩＣカードへ傷を付けることのないＩＣカードリーダライタを提供することができるものである。
【０００９】
また、上記発明の目的を達成するため、本発明に係るＩＣカードリーダライタは、ＩＣカードを搬送する搬送手段を有し、前記ＩＣカードが搬送路内を前記搬送手段によって搬送されるよう構成されてなるＩＣカードリーダライタであって、前記ＩＣカードが載置され、当該ＩＣカードと共に移動するよう構成されてなるスライドプレートと、前記ＩＣカードとの信号の授受のための接点を有するコネクタとが、前記搬送路を挟んで相対するように設けられ、前記スライドプレートの近傍には、前記スライドプレートの移動を案内するスライドプレートガイド手段が設けられ、前記スライドプレートは、前記ＩＣカードの挿入口方向に、戻しばねにより常時戻し力を受け、前記ＩＣカードの挿入前の初期状態においては、初期位置に引き戻される一方、前記ＩＣカードの先頭部分が当接されるカード当接部が設けられ、前記スライドプレートガイド手段は、前記スライドプレートを、その初期位置から前記ＩＣカードの挿入方向に向かって第１の所定区間の間、所定の傾きで徐々に上昇せしめ、前記第１の所定区間以降は、前記ＩＣカードの挿入方向に向かうに従い徐々に下降せしめ、前記コネクタは、前記スライドプレート手段の第１の所定区間における前記スライドプレートの傾きと同一の傾きで固設され、前記スライドプレートが前記ＩＣカードの搬送に伴い前記ＩＣカードの挿入方向へ進み、前記第１の所定区間において所定位置に到達すると、前記コネクタの接点が前記ＩＣカードに形成された接点接触部に当接してＩＣカードとの情報の授受が可能な状態となり、ＩＣカードが前記ＩＣカードの挿入方向へさらに搬送されると、前記ＩＣカードの搬送と共に前記スライドプレートは、除々に下降しつつ前記コネクタから除々に離間してゆき、前記カード当接部が前記搬送路の下側に位置し、前記ＩＣカードが所定の位置から排出された後に、前記スライドプレートは、前記初期位置へ引き戻されるよう構成されてなるものも好適である。
【００１０】
かかる構成においては、ＩＣカードは、スライドプレートと共にスライドプレートガイド手段の案内により移動できるように構成され、しかも、ＩＣカードをＩＣカードリーダライタのカード排出口から排出できるように、スライドプレートが所定の位置を越えてＩＣカードリーダライタの奥へ進む場合には、スライドプレートは、スライドプレートガイド手段により、コネクタと徐々に離間して、搬送路の下面側に下降するように構成されているので、ＩＣカードをカード排出口へ搬送することができ、従来と異なり、ＩＣカードと共にスライドプレートも移動するので、ＩＣカードの移動によりＩＣカードへ傷を付けることのないＩＣカードリーダライタを提供することができるものである。
【００１１】
【発明の実施の形態】
以下、本発明の実施の形態について、図１乃至図６を参照しつつ説明する。
【００１２】
なお、以下に説明する部材、配置等は本発明を限定するものではなく、本発明の趣旨の範囲内で種々改変することができるものである。
【００１３】
最初に、この発明の実施の形態におけるＩＣカードリーダライタの構成について、図１乃至図４を参照しつつ説明する。
【００１４】
図１及び図２には、主にこのＩＣカードリーダライタの機構的な構成が示されており、モータ16の動作を制御するためのモータ制御回路及びＩＣカードとの通信を行うＩＣカード読み取り制御回路については、図示を省略してある。
【００１５】
まず、ＩＣカードリーダライタの筐体１は、その外形形状がやや扁平の略直方体をなすもので、後述する搬送路５が形成される方向に長手軸を有するものとなっており、その一方の端部において、カード挿入口２が、また、他方の端部においてカード排出口３がそれぞれ設けられたものとなっている（図２参照）。
【００１６】
そして、筐体１内部において、カード挿入口２側からカード排出口３へ延び、後述するようにスライドプレート21とコネクタ27によって挟まれるようにしてＩＣカード４が搬送される空間は、搬送路５となっている（図２参照）。なお、図１においては、図面の理解を容易にするため、コネクタ27は現れていない。
【００１７】
また、筐体１内部の一方の側部近傍であって、かつ、カード挿入口２の近傍においては、第１の駆動プーリ６と第１の従動ローラ８が、搬送路５を挟んで、その上側に、第１の駆動プーリ６が、搬送路５の下側に、第１の従動ローラ８（図１及び図２においては図示されてない）が、それぞれの外周面が相対するようにして設けられている（図１、図２及び図５参照）。
【００１８】
第１の駆動プーリ６は、その中心で、棒状部材からなる第１の駆動軸10により軸支されており、この第１の駆動軸10の両端は、それぞれ筐体１の側部に形成された軸穴14a，14bに遊嵌されて回動自在となっており、また、第１の駆動軸10の所定の部位は、後述するようにウォーム形成用円柱部材18に形成された遊嵌穴18aに遊嵌されるようになっている（図１参照）。
【００１９】
第１の従動ローラ８は、その中心で棒状部材からなる第１の従動軸（図示せず）により軸支されており、この第１の従動軸は、筐体１に回動自在に取り付けられたものとなっている。
【００２０】
一方、カード排出口３の近傍であって、上述のように第１の駆動プーリ６及び第１の従動ローラ８が配設された筐体１内部の側部近傍においても、同様に搬送路５を挟んで、搬送路５の上側に第２の駆動プーリ７が、搬送路５の下側に第２の従動ローラ９が、それぞれの外周面が相対するように配設されている。
【００２１】
第２の駆動プーリ７は、その中心で、棒状部材からなる第２の駆動軸11により軸支されており、その両端は、筐体１のそれぞれの側壁に、それ自体では回動自在となるようにして係止されたものとなっている。
【００２２】
また、第２の従動ローラ９も同様に、その中心で棒状部材からなる第２の従動軸13により軸支されており、この第２の従動軸13の両端は、それぞれ筐体１に形成された凹溝31に遊嵌されると共に板ばね32で保持されて回動自在となっている（図２参照）。
【００２３】
そして、第１の駆動プーリ６と第２の駆動プーリ７には、例えば、ゴム等の比較的弾力性、可撓性のある部材からなるカード搬送用ベルト15が掛け渡されており、第１の駆動プーリ６の回動が第２の駆動プーリ７に伝達されるようになっている。
【００２４】
ＩＣカード４が、カード挿入口２からＩＣカードリーダライタ内へ挿入されると、その先頭部分の一方の側部が第１の駆動プーリ６及びカード搬送用ベルト15と、第１の従動ローラ８との間に挟まれるようになっている。その状態において、第１の駆動軸10がモータ16により回動されて、例えば、図２において、第１の駆動軸10を中心に右回り方向（以下、この回転状態を便宜的に「正回転」と言う）に回動する場合には、第１の駆動プーリ６及びカード搬送用ベルト15と第１の従動ローラ８とにより、ＩＣカード４は、さらにＩＣカードリーダライタ内部へ搬送されるようになっている。
【００２５】
第１の駆動軸10は、第２の駆動軸11と同様に、その両端部は、筐体１のそれぞれの側壁に、それ自体では回動自在となるように係止されている。また、この発明の実施の形態における第１の駆動軸10は、後述するウォーム形成用円柱部材18に遊嵌される被遊嵌部10aと、それから先の部位（第１の駆動プーリ６が取着される側と反対側）である軸端係止部10bとの径が異なって形成されており、この例では、被遊嵌部10aの径が、軸端係止部10bの径より大となっている（図１及び図３参照）。
【００２６】
一方、筐体１の他方の側部近傍には、モータ16が設けられ、このモータ16の回動力を伝達するためのウォームギア17がモータ16と第１の駆動軸10との間に設けられている（図１参照）。
【００２７】
すなわち、モータ16の回動軸には、ウォーム17aが取着される一方、このウォーム17aには、ウォーム形成用円柱部材18に形成されたウォームホイール17bが螺合されている。なお、モータ16が減速機構付きモータである場合には、ウォームギア17に代えて傘歯車を用いてモータの駆動力を第１の駆動軸10へ伝達するようにしてもよい。
【００２８】
ウォーム形成用円柱部材18は、第１の駆動軸10の被遊嵌部10aより大径の円柱状の部材を用いてなり、その一方の端部においては、第１の駆動軸10の被遊嵌部10aが遊嵌できるよう円筒状に遊嵌穴18aが形成されている（図３参照）。
【００２９】
すなわち、モータ16には、ウォーム17aが取着される一方、このウォーム17aには、ウォーム形成用円柱部材18に形成されたウォームホイール17bが螺合されている。
【００３０】
また、この遊嵌穴18aが形成された側のウォーム形成用円柱部材18の端面には、その周方向でほぼ１８０度離れて、２つのウォーム側係止突起19a，19bがそれぞれ、軸方向に突設されたものとなっている（図３参照）。なお、この発明の実施の形態においては、ウォーム形成用円柱部材18の一部が軸方向に延設されて先のウォーム側係止突起19a，19bがそれぞれ形成されたものとなっているが、必ずしも一体的である必要はなく、ウォーム形成用円柱部材18と別体に設けられてもよいものである。
【００３１】
さらに、ウォーム形成用円柱部材18の他方の端部、すなわち、ウォーム側係止突起19a，19bが設けられた側と反対側の端部からは、第１の駆動軸10の軸端係止部10bが貫通できるようになっており、その端部が、先に述べたように、筐体１の他方の側壁に係止されたものとなっている。
【００３２】
一方、第１の駆動軸10の被遊嵌部10aの外周面には、その周方向で１８０度離れて、２つの駆動軸側係止突起20a，20bが外方へ突設されている（図３参照）。そして、この駆動軸側係止突起20a，20bの第１の駆動軸10の軸方向における位置は、被遊嵌部10aがウォーム形成用円柱部材18の遊嵌穴18aに遊嵌されて、かつ、第１の駆動軸10の両端が筐体１に係止された状態（換言すれば、使用状態）において、２つのウォーム側係止突起19a，19bが形成されたウォーム形成用円柱部材18の端面近傍に位置するように設定されたものとなっている。したがって、使用状態においては、２つの駆動軸側係止突起20a，20bと、２つのウォーム側係止突起19a，19bは、第１の駆動軸10の周方向（又はウォーム形成用円柱部材18の周方向）で、交互に位置する状態となり、第１の駆動軸10は、２つのウォーム側係止突起19a，19bの間で回動自在となっている（図４参照）。換言すれば、第１の駆動軸10は、周方向で２つのウォーム側係止突起19a，19bがなす角度θの範囲で回動自在となっている。
【００３３】
なお、この構成例においては、ウォーム側係止突起19a，19bと駆動軸側係止突起20a，20bは、それぞれ２つ設けるようにしたが、必ずしも２つずつ設ける必要はなく、それぞれ１つずつ設けるような構成であってもよいものである。
【００３４】
スライドプレート21は、その外形平面形状（ＩＣカードリーダライタを図１に示された方向から見た場合に現れる外形形状）が矩形状に形成されてなり、カード挿入口２の近傍において、かつ、その側縁部分がカード搬送用ベルト15と平行するように、しかも、搬送路５の直下に位置するように設けられているもので（図１及び図２参照）、後述するスライドプレートガイド25a，25bにより、搬送路５の長手軸方向（カード搬送用ベルト15が掛け渡されている方向）に沿って移動可能となっている。
【００３５】
また、この発明の実施の形態におけるスライドプレート21は、その側面側から見た形状（図２に現れる形状）が次述するようなものとなっている。すなわち、図２に示されたように、搬送路５に臨む面と反対側の面は、平坦な面に形成されている一方、搬送路５に臨む面側は、そのほぼ中央付近から先端部側（カード排出口３側）にかけて微少な傾斜を有する第１の傾斜部21aと、中央付近から後端部側（カード挿入口２側）にかけて第１の傾斜部21aより大きな傾斜を有する第２の傾斜部21bとの２つの部位が形成されたものとなっている。第１の傾斜部21aの傾斜は、第２の傾斜部21bに比して極小さなものとなっている。なお、第２の傾斜部21bの傾斜の好適な大きさについては、後述の動作説明において明らかにすることとする。
【００３６】
さらに、スライドプレート21には、コイル状に形成されてなる初期位置戻し手段としての戻しばね22の一端が係止され、この戻しばね22の他端は、カード挿入口２側により近い筐体１の適宜な部位に係止されている。そのため、スライドプレート21は、このＩＣカードリーダライタの動作が停止されている状態にあっては、戻しばね22の戻し力を受け、所定の位置、すなわち、初期位置に位置するようになっている。なお、この発明の実施の形態においては、スライドプレート21の下面（搬送路５に臨む面と反対側の面）側の適宜な部位に、戻しばね22の一端が係止されたものとなっている（図２参照）。
【００３７】
この発明の実施の形態においては、初期位置戻し手段は、戻しばね22により実現されたものとなっているが、必ずしもばねである必要ななく、同様な作用効果を奏するものであれば他の部材等によって実現されても良いものである。例えば、モータとこのモータの回動力を直線往復運動に変換する適宜な機構とを介して、必要なときにスライドプレート12を初期位置に戻せるよう構成して、初期位置戻し手段を実現してもよい。
【００３８】
また、このスライドプレート21の先頭部分（カード挿入口２側と反対側の部位）においては、矩形状に形成されてなるカード当接部23a，23bが、スライドプレート21の側縁部分に搬送路５の上側に突き出るように突設されている（図１及び図２参照）。このカード当接部23a，23bは、ＩＣカード４がＩＣカードリーダライタ内部に挿入された際に、ＩＣカード４の先頭部分が丁度当接されるものとなっている。
【００３９】
またさらに、スライドプレート21の両側部（搬送路５に沿う方向、換言すれば、カード搬送用ベルト15が掛け渡された方向に沿う側部）においては、スライドプレート21の先頭部分近傍と、後端部（カード挿入口２側の端部近傍の部分）近傍のそれぞれの側縁部において、スライドプレート突起24a〜24dが脇へ突出するように設けられている（図１及び図２参照）。
【００４０】
そして、このスライドプレート突起24a〜24dは、スライドプレート21の両側部の直近に設けられたスライドプレートガイド25a，25bのプレートガイド係合部としてのプレートガイド溝26a〜26dに遊嵌されるようになっている。
【００４１】
すなわち、スライドプレートガイド25a，25bは、スライドプレート21の両側部に近接して、搬送路５と直交する方向に筐体１内部に垂直方向に設けられたものとなっている。なお、この発明の実施の形態においては、筐体１内の一部分に凹部1aが形成されており、この凹部1aの両側面（カード搬送用ベルト15が掛け渡された方向の面）がスライドプレートガイド25a，25bとされている（図１参照）。
【００４２】
また、このスライドプレートガイド25a，25bには、所定の形状（詳細は後述）のプレートガイド溝26a〜26dが形成されている（図２においては、一方のプレートガイド溝26a，26cが示されている）。すなわち、第１のプレートガイド係合部としてのプレートガイド溝26a，26bは、スライドプレートガイド25a，25bのカード排出口３よりの部位において、プレートガイド溝26aは、スライドプレートガイド25aに、プレートガイド溝26bは、スライドプレートガイド26bに、それぞれ相対するようにして設けられたものとなっている。また、第２のプレートガイド係合部としてのプレートガイド溝26c，26dは、スライドプレートガイド25a，25bのカード挿入口２よりの部位において、プレートガイド溝26cは、スライドプレートガイド25aに、プレートガイド溝26dは、スライドプレートガイド26bに、それぞれ相対するようにして設けられたものとなっている。
【００４３】
そして、２つのプレートガイド溝26a，26bは、同一の形状を有してなるもので、カード挿入口２側からカード排出口３方向へ向かうにしたがい（換言すれば、ＩＣカード４の挿入方向へ向かうにしたがい）、所定の傾斜で搬送路５へ接近するように（換言すれば、所定の傾きで徐々に上昇するように）第１の所定の長さに渡って直前状に形成されており（第１の所定区間）、続いて、若干の長さ水平に形成されており（第２の所定区間）、さらに、この第２の所定区間に続く部位は、下方向に所定の傾斜を以て所定の長さ直線状に形成された（第３の所定区間）ものとなっている（図２参照）。すなわち、第３の所定区間は、所定の傾きで徐々に下降するように形成されたものとなっている。
【００４４】
また、２つのプレートガイド溝26c，26dは、同一の形状を有してなるもので、カード挿入口２側からカード排出口３方向へ向かうにしたがい（換言すれば、ＩＣカード４の挿入方向へ向かうにしたがい）、所定の傾斜で搬送路５へ接近するように（換言すれば、所定の傾きで徐々に上昇するように）第１の所定の長さに渡って直前状に形成されており（第１の所定区間）、この第１の所定区間に続く部位は、水平に直線状に形成されたものとなっている（図２参照）。なお、第１の所定区間におけるプレートガイド溝26c，26dの傾斜は、先のプレートガイド溝26a，26bの第１の所定区間における傾斜と同一又は、ほぼ同一に設定されたものとなっている。
【００４５】
したがって、スライドプレート21は、スライドプレート突起24a〜24dがプレートガイド溝26a〜26dに遊嵌されて案内されるため、初期位置からカード排出口３へ向かって、第１の所定区間の間は、カード排出口３へ向かうにしたがい徐々に上昇する（換言すれば、搬送路５側へ移動する）ようになっており、この構成例においては、丁度第１の所定区間の終点から第２の所定区間に移行する付近に至ったところで、後述するように、スライドプレート21にＩＣカード４が載置されている場合には、コネクタ27に設けられた接点27aがＩＣカード４に形成されている接点接触部（図示せず）に丁度当接するようになっている。
【００４６】
この第２の所定区間は比較的短く設定されており、この区間を過ぎて、第３の所定区間へ入ると、スライドプレート21の特に、第１の傾斜部21aが形成された部位は、カード排出口３へ向かうに従って（換言すればＩＣカード４の挿入方向に向かうに従って）除々に、その先頭部分から下降するようになり、最終的には、カード当接部23a，23bが搬送路５の下面側に位置するまで下降可能となっている。
【００４７】
なお、スライドプレートガイド25a，25bは、この発明の実施の形態のように筐体１と一体に形成されても、また、別体に設けられたものでもいずれでもよく、さらに、平板状の部材を用いて筐体１の底部に対して直交するように設けてもよいものである。
【００４８】
搬送路５を挟んでスライドプレート21と対向する位置には、コネクタ27が、このコネクタ27に設けられた接点27aが先のプレートガイド溝26a〜26dの第１の所定区間の傾斜と同一の傾斜となるように筐体１の適宜な位置に固設されたものとなっている（図１参照）。
【００４９】
コネクタ27は、その外形平面形状（図１に示されたようにＩＣリーダライタを上面側から見た場合に平面図として現れる形状）は、ほぼ矩形状に形成されてなるもので、その下面側、すなわち、搬送路５に臨む側には、導電性部材からなる複数の接点27aが設けられており、この接点27aを介してＩＣカード４と、図示されないＩＣカード４との信号の授受のための回路との間で、信号の授受が可能なように構成されている（図２参照）。
【００５０】
なお、先の凹部1aに隣接するモータ16側の平坦面1bには、カード挿入口２近傍からカード排出口３近傍へ向かって、ＩＣカード４が通過する位置に対応する箇所に、矩形状に比較的小さく形成された第１乃至第４のカードセンサ用光透過穴28a〜28dが穿設されている（図１参照）。この第１乃至第４のカードセンサ用光透過穴28a〜28dを挟んで、その上下には、それぞれ例えばいわゆるフォトカプラ（図示せず）が配設されるようになっている。すなわち、フォトカプラは、発光素子と受光素子（図示せず）とから構成されてなるもので、発光素子（図示せず）からの光が第１乃至第４のカードセンサ用光透過穴28a〜28dを介してフォトカプラを構成する受光素子で受光されるように設けられており、このフォトカプラが設けられた箇所をＩＣカード４が通過して発光素子からの光が遮断されることによる受光素子の出力信号の変化によってＩＣカード４の通過が検出できるようにしてある。このフォトカプラによるＩＣカード４の通過の有無は、後述するようにモータ16の駆動制御に用いられるモータ制御回路（図示せず）によってなされるようになっており、その検出結果に基づいてモータ16の駆動制御がなされるようになっている。なお、このモータ制御回路は、例えば、筐体１内に収納されるものであるが、図１及び図２においては、その図示が省略されている。
【００５１】
次に、上記構成における動作について、図２、図５及び図６を参照しつつ説明する。
【００５２】
まず、使用者がＩＣカード４をカード挿入口２からＩＣカードリーダライタ内へ挿入し、その挿入が第１のカードセンサ用光透過穴28aの上下（図１において紙面表裏方向）に設けられているフォトカプラ（図示せず）によって検出されると、モータ制御回路（図示せず）によって、モータ16の駆動が開始され、モータ16は、カード搬送用ベルト15の搬送路５に臨む部位が、図２で言えば、カード挿入口２側からカード排出口３側へ送られる方向（換言すれば、図２において、第１の駆動軸10が時計回り方向へ回動されるような方向）に回転するよう駆動されることとなる（以後、このモータ16の回転状態を「正転状態」と言う）。このモータ16が正転状態とされることにより、第１の駆動軸10は、時計回り方向に回転し始め、同時にカード搬送用ベルト15の搬送路５に臨む部位がカード挿入口２側からカード排出口３方向へ移動し始めることとなる。
【００５３】
そして、使用者がＩＣカード４をさらに挿入し、ＩＣカード４のカード搬送用ベルト15側の側部を、第１の駆動プーリ６及びカード搬送用ベルト15と、第１の従動ローラ８との間にくわえさせるようにすると、ＩＣカード４は、搬送力を受けて、カード排出口３方向へ移動し始め、ＩＣカード４の先頭部分は、カード当接部23a，23bに当接することとなり、その当接後、ＩＣカード４と共にスライドプレート21がカード排出口３方向へ移動されることとなる。
【００５４】
すなわち、スライドプレート21には、プレートガイド溝26a〜26dに遊嵌されたスライドプレート突起24a〜24dが設けられているため、スライドプレート21は、ＩＣカード４の移動と共に、プレートガイド溝26a〜26dの案内によって移動することとなる。そして、プレートガイド溝26a〜26dは、先に述べたように第１の所定区間においては、搬送路５に向かっていわば逆上がりに傾斜しているため、スライドプレート21は、カード排出口３方向へ移動するにつれて、徐々に搬送路５方向へ上昇することとなり、その上昇に伴いスライドプレート21の先頭側（カード当接部23a，23b）から徐々にスライドプレートガイド21の一部が、すなわち第１の傾斜部21aが搬送路５の上側（コネクタ27が位置する側）へ現れることとなる（図５（Ａ）参照）。
【００５５】
そして、ＩＣカード４の搬送が進み、スライドプレート突起24a，24bがプレートガイド溝26a，26bの第１の所定区間のほぼ終点付近に位置したところで、コネクタ27に設けられた接点27aがスライドプレート21上のＩＣカード４に形成された接点接触部（図示せず）に丁度当接するようになっている（図５（Ｂ）参照）。また、同時にこの位置では、ＩＣカード４の先端部分（スライドプレート21のカード当接部23a，23bに当接する部分）が第３のカードセンサ用光透過穴28cの上下（図１において紙面表裏方向）に設けられているフォトカプラ（図示せず）によって検出され、この検出結果に応じてモータ制御回路（図示せず）によって、モータ16の駆動が一旦停止されるようになっている。
【００５６】
モータ16の駆動が停止されると、外部に設けられた図示されないＩＣカード読み取り制御回路によって、接点27aを介してＩＣカード４との通信処理が開始され、相互に種々のデータの授受がなされると共に、ＩＣカード４がいわゆる不正使用のものであるか否かの判定が行われる（図５（Ｂ）参照）。
【００５７】
なお、この位置においては、スライドプレート21の第２の傾斜部21bは、第１の傾斜部21aに近い一部分が搬送路５の上側に現れるだけで、大半の部分は、搬送路５の下側に位置した状態となっている（図５（Ｂ）参照）。
【００５８】
不正使用か否かの判定により、不正使用であると判定された場合には、ＩＣカード読み取り制御回路（図示せず）からの制御信号によって、モータ制御回路（図示せず）がモータ16を正転状態とすることとなる。
【００５９】
これによって、ＩＣカード４は、カード搬送用ベルト15によりカード排出口３方向へ搬送力を受けるため、ＩＣカード４と共に、スライドプレート21もカード排出口３方向へ移動されることとなる。
【００６０】
このスライドプレート21の移動に伴い、スライドプレート突起24a，24bは、僅かな長さ水平に形成された第２の所定区間を介して所定の傾斜で下降している第３の所定区間へ案内されるため、ＩＣカード４が接点27aから離間し、スライドプレート21は、主にその前半部分（第１の傾斜部21aが形成された側）が徐々に下降し始めることとなる。一方、スライドプレート突起24c，24d側は、スライドプレート21の移動が再開されると、プレートガイド溝26c，26dの第１の所定区間に続く水平に形成された部位へ案内されるため、スライドプレート21の第２の傾斜部21bが形成された側の部位は、スライドプレート21の移動が進んでも搬送路５に対する相対位置は殆ど一定の状態に維持されることとなる。
【００６１】
ＩＣカード４とスライドプレート21の移動が進むと、カード当接部23a，23bは搬送路５の下面側に位置することとなる（図６（Ａ）参照）。それによって、ＩＣカード４を介してのカード搬送用ベルト15による搬送力は、スライドプレート21へ伝達されなくなり、スライドプレート21の移動が停止する一方、ＩＣカード４のみが、依然としてカード排出口３方向へ搬送されることとなる。なお、スライドプレート21は、ＩＣカード４が上面側に位置するために、この時点では、未だ、戻しばね22による戻し力により初期位置へ戻ることはできない状態である。
【００６２】
ＩＣカード４の搬送が進み、その後端部分（カード挿入口２側の端部）が第１の駆動プーリ６及びカード搬送用ベルト15と第１の従動ローラ８との間から抜け出たところで、丁度、ＩＣカード４の先頭部分が、第２の駆動プーリ７及びカード搬送用ベルト15と第２の従動ローラ９との間に挟まれるようになっており、ＩＣカード４は、それによってさらに搬送され（図６（Ａ）参照）、ついには、カード排出口３からＩＣカードリーダの外部（ＩＣカードリーダが組み込まれる装置内）へ排出されることとなる（図６（Ｂ）参照）。
【００６３】
この場合、モータ16は、第４のカードセンサ用光透過穴28dの上下（図１において紙面表裏方向）に設けられているフォトカプラ（図示せず）によって、ＩＣカード４の後端部の通過が検出されると、モータ制御回路（図示せず）によって、その駆動が停止されることとなる。
【００６４】
そして、ＩＣカード４の排出がなされると、スライドプレート21の初期位置への戻りの障害となるＩＣカード４が無くなるため、スライドプレート21は、戻しばね22により初期位置へ引き戻されることとなる（図６（Ｂ）参照）。
【００６５】
なお、ＩＣカード４をカード排出口３へ送る場合、上述の例では、第４のカードセンサ用光透過穴28dの上下（図１において紙面表裏方向）に設けられているフォトカプラ（図示せず）によって、ＩＣカード４の後端部（カード挿入口２側の端部）の通過が検出されることで、モータ16の駆動を停止するようにしたが、必ずしもこのような構成である必要はない。例えば、ＩＣカード４が第２の駆動プーリ７及びカード搬送用ベルト15と第２の従動ローラ９との間を通過するに十分な時間、モータ16を正転方向へ駆動するようないわば時間制御を行うようにしてもよい。
【００６６】
一方、先に述べた第３のカードセンサ用光透過穴28cの上下（図１において紙面表裏方向）に設けられているフォトカプラ（図示せず）によりＩＣカード４の搬送が一旦停止され、ＩＣカード４との通信が行われ、ＩＣカード４がいわゆる不正使用のものではないと判定された場合には、必要な通信がなされた後は、次述するようにして、ＩＣカード４は、再びカード挿入口２から使用者へ戻されることとなる。
【００６７】
まず、ＩＣカード４がＩＣカード読み取り制御回路（図示せず）により不正使用のものでないと判定され、必要なＩＣカード４との通信が終了すると、ＩＣカード読み取り制御回路からモータ制御回路（図示せず）へ対してモータ駆動開始のための所定の信号が出力されるようになっている。そして、モータ16は、モータ制御回路により、ＩＣカード４がカード挿入口２方向へ搬送される方向に駆動（逆転状態）されることとなる。すなわち、カード搬送用ベルト15の搬送路５に臨む部位が、図２で言えば、カード挿入口２方向へ送られるようモータ16が駆動され、ＩＣカード４は、これによりカード挿入口２へ戻されることとなる。そして、第２のカードセンサ用光透過穴28bの上下（図１において紙面表裏方向）に設けられているフォトカプラ（図示せず）によって、ＩＣカード４の先端部（カード排出口３側の端部）の通過が検出されると、モータ制御回路（図示せず）によって、その駆動が停止されることとなる。
【００６８】
ここで、ＩＣカード４がカード挿入口２まで搬送されても、ＩＣカード４のカード搬送用ベルト15側の側部の一部が、第１の駆動プーリ６及びカード搬送用ベルト15と、第１の従動ローラ８との間に挟まれた状態であるため、ＩＣカード４は、外へ飛び出すことはない。
【００６９】
使用者は、モータ16が停止した後、カード挿入口２から外部へ一部露出されているＩＣカード４を掴んで引き抜くことができる。これは、既に述べたように、第１の駆動軸10の一部の部位が、ウォーム形成用円柱部材18に形成された遊嵌穴18aに遊嵌されて、周方向で所定の範囲の回動が可能となっており、ＩＣカード４のカード搬送用ベルト15側の側部の一部が、第１の駆動プーリ６及びカード搬送用ベルト15と、第１の従動ローラ８との間に挟まれた状態であって、第１の駆動プーリ６が第１の駆動軸10と共に回動でき、それによって、カード搬送用ベルト15も移動できるようになっているためである。
【００７０】
なお、ＩＣカード４をカード挿入口２へ戻す場合、上述の例では、第２のカードセンサ用光透過穴28bの上下（図１において紙面表裏方向）に設けられているフォトカプラ（図示せず）によって、ＩＣカード４の先端部（カード排出口３側の端部）の通過が検出されることで、モータ16の駆動を制御するようにしたが、必ずしもこのような構成である必要はない。例えば、ＩＣカード４が不正使用のものではないと判定され、ＩＣカード４との必要な通信が終了したと判定された時点から、モータ16を所定時間だけ、逆転方向へ駆動するようないわば時間制御を行うようにしてもよい。すなわち、ここで、所定時間は、ＩＣカード４がカード挿入口２へ戻されるに適した時間であり、モータ16の回転速度を考慮して、シュミレーションや実験等によって予め定められるものである。なお、この場合、ＩＣカード４の飛び出しを防止するために、カード排出口３の付近に、例えば、ＩＣカード４の表面側から裏面側へ、又はＩＣカード４の一方の側面側から他方側へＩＣカード４を押しつけるような板ばね等の部材を設けるようにすると好適である。
【００７１】
また、上述の例においては、ＩＣカード４を搬送するために、第１及び第２の駆動プーリ６，７、第１及び第２の従動ローラ８，９、カード搬送用ベルト15を用いたが、必ずしもこのようなものである必要はない。例えば、第１及び第２の駆動プーリ６，７の代わりに、ゴム等の比較的弾力性のある部材からなるローラ（図示せず）を、それぞれ第１の駆動ローラ、第２の駆動ローラとして用い、さらに、図１に二点鎖線で示されたように第１及び第２の駆動軸10，11の一端を筐体１の外側へ延設し、その端部に、それぞれプーリ29a，29bを取着すると共に、このプーリ29a，29bに駆動用ベルト30を掛け渡すような構成としてもよい。
【００７２】
そして、この場合、第１の駆動ローラ及び第１の従動ローラ８と、第２の駆動ローラ及び第２の従動ローラ９との間隔は、第１の駆動ローラ及び第１の従動ローラ８との間を、ＩＣカード４の後端部が通過する際、ＩＣカード４の先頭部分が、第２の駆動ローラ及び第２の従動ローラ９とに挟まれるように設定すると好適である。
【００７３】
上述した発明の実施の形態においては、スライドプレート21に形成されたスライドプレート突起24a〜24dとスライドプレートガイド25a，25bとにより案内手段が実現され、スライドプレート21により移動部が、スライドプレート突起24a〜24dとプレートガイド溝26a〜26dとにより案内部が、それぞれ実現されたものとなっている。また、スライドプレート21に形成されたスライドプレート突起24a〜24dと、スライドプレートガイド25a，25bによりスライドプレートガイド手段が実現されたものとなっている。
【００７４】
【発明の効果】
以上、述べたように、本発明によれば、ＩＣカードリーダライタ内で、ＩＣカードの裏面側が位置する部位を移動可能として、しかも、必要に応じて、搬送路の下面側に下降できるように構成したので、ＩＣカードの裏面側に傷を付けることがなく、しかも、ＩＣカードの回収が必要な場合には、カード排出口へＩＣカードを搬送することができ、ＩＣカードを確実に回収することができるという効果を奏するものである。
【図面の簡単な説明】
【図１】本発明の実施の形態におけるＩＣカードリーダライタの平面図である。
【図２】本発明の実施の形態におけるＩＣカードリーダライタの縦断面図である
【図３】第１の駆動軸へのウォームの取り付け状態を示す分解斜視図である。
【図４】第１の駆動軸の回動の様子を説明する説明図である。
【図５】ＩＣカードの搬送状態を説明する模式図であって、図５（Ａ）は、ＩＣカード挿入時における状態を示す模式図、図５（Ｂ）は、通信状態の位置を示す模式図である。
【図６】ＩＣカードの搬送状態を説明する模式図であって、図６（Ａ）は、ＩＣカードがカード排出口から回収される場合を示す模式図、図６（Ｂ）は、ＩＣカードがカード排出口から排出された際の状態を示す模式図である。
【符号の説明】
２…カード挿入口
３…カード排出口
５…搬送路
21…スライドプレート
23a，23b…カード当接部
25a，25b…スライドプレートガイド
26a〜26d…プレートガイド溝
27…コネクタ
27a…接点
【図１】
0003857491.tif 000002
【図２】
0003857491.tif 000003
【図３】
0003857491.tif 000004
【図４】
0003857491.tif 000005
【図５】
0003857491.tif 000006
【図６】
0003857491.tif 000007